(57)【要約】【課題】  本発明は、簡便な構成により、複数の情報をそれぞれ明確に表示して案内することができる案内表示装置の提供を目的とする。【解決手段】  本発明に係る案内表示装置は、光を発する光源を設けた複数の光源部と、前記光源部に隣接し、前記光源部の前記光源の光を側面から入射させ、該光を主面から出射させる複数の表示部と、少なくとも隣り合う前記光源部の間及び隣り合う前記表示部の間に設けられ、光を遮光する遮光部材を設けた遮光部と、前記光源部、前記表示部及び前記遮光部を保持する筐体を設けた筐体部とを有し、複数の前記表示部は、一列に配設され、且つ文字、図形、記号又はこれらの組み合わせから成る情報を表していることを特徴とする。【選択図】  図１
2013003194.tif 000002
【特許請求の範囲】
【請求項１】
光を発する光源を設けた複数の光源部と、
前記光源部に隣接し、前記光源部の前記光源の光を側面から入射させ、該光を主面から出射させる複数の表示部と、
少なくとも隣り合う前記光源部の間及び隣り合う前記表示部の間に設けられ、光を遮光する遮光部材を設けた遮光部と、
前記光源部、前記表示部及び前記遮光部を保持する筐体を設けた筐体部とを有し、
複数の前記表示部は、一列に配設され、且つ文字、図形、記号又はこれらの組み合わせから成る情報を表していること
を特徴とする案内表示装置。
【請求項２】
前記表示部は、主面に形成された複数の凹部又は凸部により所定の情報を表示する導光板から成ること
を特徴とする請求項１に記載の案内表示装置。
【請求項３】
前記表示部は、主面に凹部又は凸部がマトリクス状に形成された導光板と、前記導光板の前記主面に積層して又は離間して配設され表示面により所定の情報を表示する表示板とから成ること
を特徴とする請求項１に記載の案内表示装置。
【請求項４】
複数の前記光源部は、該光源部毎に、点灯、点滅及び消灯すること
を特徴とする請求項１に記載の案内表示装置。
【請求項５】
複数の前記表示部は、同一の情報又は異なる情報を表示していること
を特徴とする請求項１に記載の案内表示装置。
【請求項６】
複数の前記表示部の前記導光板は、前記主面の片側の一主面に表示された情報に対し、前記一主面に対向して形成された他主面に表示された情報が左右の方向に反転していること
を特徴とする請求項２に記載の案内表示装置。
【請求項７】
複数の前記表示部の前記表示板は、前記導光板の主面の両側に積層され、且つ一の前記表示板に表示された情報に対し、他の前記表示板に表示された情報が左右の方向に反転していること
を特徴とする請求項３に記載の案内表示装置。
【請求項８】
複数の前記表示部は、透明性を有すること
を特徴とする請求項１に記載の案内表示装置。
【請求項９】
前記遮光部の前記遮光部材は、所定の反射率を有すること
を特徴とする請求項１に記載の案内表示装置。
【発明の詳細な説明】
【技術分野】
【０００１】
本発明は、複数の情報を表示して案内する案内表示装置に関する。
【背景技術】
【０００２】
従来、表示内容を同方向に切替表示可能の案内表示装置に関し、表示内容が表面側に刻設された複数の透光性案内板を、案内内容刻設面を同方向に向けて一体に積層してなる案内板積層体と、この案内板積層体の側端面に近接配置され、各案内板に１対１対応でその案内板の側端面に各別に近接対向する複数の光源と、この複数の光源のうち所望の案内板の側端面に対向する光源のみを選択点灯させる光源選択点灯回路とを設けた構成がある（例えば、特許文献１参照。）。
【０００３】
また、結婚式場等で用いられる案内表示装置に関し、発光ダイオードパネルと液晶パネルとを組み合わせた表示パネルにバックライトを照射してなる表示具を用い、この表示具と表示用無線信号の送信手段とを備えた構成がある（例えば、特許文献２参照。）。
【先行技術文献】
【特許文献】
【０００４】
【特許文献１】特開２００１−１０６４６６号公報
【特許文献２】特開平７−１４０９２１号公報
【発明の概要】
【発明が解決しようとする課題】
【０００５】
しかしながら、前述の様な構成では、複数の情報を独立して明確に表示して案内することが困難であるという問題があった。
【０００６】
そこで、本発明は前述の技術的な課題に鑑み、簡便な構成により、複数の情報をそれぞれ明確に表示して案内することができる案内表示装置の提供を目的とする。
【課題を解決するための手段】
【０００７】
前述の課題を解決すべく、本発明に係る案内表示装置は、光を発する光源を設けた複数の光源部と、前記光源部に隣接し、前記光源部の前記光源の光を側面から入射させ、該光を主面から出射させる複数の表示部と、少なくとも隣り合う前記光源部の間及び隣り合う前記表示部の間に設けられ、光を遮光する遮光部材を設けた遮光部と、前記光源部、前記表示部及び前記遮光部を保持する筐体を設けた筐体部とを有し、複数の前記表示部は、一列に配設され、且つ文字、図形、記号又はこれらの組み合わせから成る情報を表していることを特徴とする。
【発明の効果】
【０００８】
本発明に係る案内表示装置によれば、簡便な構成により、複数の情報をそれぞれ明確に表示して案内することができる。
【図面の簡単な説明】
【０００９】
【図１】本発明の第１の実施形態に係る案内表示装置を示す斜視図であり、（ａ）は案内表示装置を一方から示す斜視図、（ｂ）は案内表示装置を他方から示す斜視図である。
【図２】本発明の第１の実施形態に係る案内表示装置を病院の廊下の天井から吊り下げて設置して用いている状態を示す模式図であり、図１に対応している。
【図３】本発明の第１の実施形態に係る案内表示装置の表示部越しに病院の廊下の壁面に掛けられた時計を視認している状態を示す模式図であり、図２に対応している。
【図４】本発明の第１の実施形態に係る案内表示装置の表示部と遮光部及び筐体部を拡大して示す斜視図であり、図１に対応している。
【図５】本発明の第１の実施形態に係る案内表示装置の光源部と表示部及び遮光部を拡大して示す斜視図であり、図１に対応している。
【図６】本発明の第１の実施形態に係る案内表示装置を構成部材毎に分解して示す斜視図であり、図１に対応している。
【図７】本発明の第１の実施形態に係る案内表示装置の一部を構成部材毎に分解して示す斜視図であり、表示部は透明性を有し、図１に対応している。
【図８】本発明の第１の実施形態に係る案内表示装置の一部を構成部材毎に分解して示す側面図であり、図１に対応している。
【図９】本発明の第１の実施形態に係る案内表示装置の一部を構成部材毎に分解して示す斜視図であり、（ａ）は光源部及び表示部の片側のみに遮光部が設けられている状態を示す模式図、（ｂ）は光源部及び表示部の両側に遮光部が設けられている状態を示す模式図、（ｃ）は光源部及び表示部の両側と下側に遮光部が設けられている状態を示す模式図、（ｄ）は光源部及び表示部の両側と下側及び裏面側に遮光部が設けられている状態を示す模式図であり、それぞれ図１に対応している。
【図１０】本発明の第１の実施形態に係る案内表示装置に設けられた複数の表示部を個別に発光させて表示させる制御を示す模式図であり、図１に対応している。
【図１１】本発明の第１の実施形態に係る応用例の一つの例に相当する筐体部を有する案内表示装置を示す斜視図であり、図１に示す筐体部に係る応用例に相当する。
【図１２】本発明の第１の実施形態に係る応用例の一つの例に相当する筐体部を有する案内表示装置を構成部材毎に分解して示す斜視図であり、図１１に対応している。
【図１３】本発明の第１の実施形態に係る応用例の一つの例に相当する筐体部を有する案内表示装置の一部を構成部材毎に分解して示す斜視図であり、表示部は透明性を有し、図１１に対応している。
【図１４】本発明の第１の実施形態に係る応用例の一つの例に相当する筐体部を有し且つ密閉蓋を除いた状態の案内表示装置を示す側面図であり、図１１に対応している。
【図１５】本発明の第１の実施形態に係る応用例の一つの例に相当する筐体部を有する案内表示装置の一部を示す正面図であり、図１１に対応している。
【図１６】本発明の第１の実施形態に係る応用例の一つの例に相当する筐体部を有する案内表示装置の一部を示す斜視図であり、少なくとも複数の表示部及び複数の遮光部を一体に保持する保持部材が設けられ、図１１に対応している。
【図１７】本発明の第１の実施形態に係る応用例の一つの例に相当する筐体部を有する案内表示装置に設けられた保持部材を示す斜視図であり、図１６に対応している。
【図１８】本発明の第１の実施形態に係る応用例の一つの例に相当する筐体部を有する案内表示装置の一部を示す斜視図であり、（ａ）は図示せぬ天井から吊り下げられたボルトを係合するネジ溝が吊下部材の上面に形成されている状態を示し、（ｂ）は図示せぬ天井から吊り下げられたボルトを係合する係留部材が吊下部材の下面に接合されている状態を示し、（ｃ）は図示せぬ天井から吊り下げられたボルトを係合する係留部材が吊下部材の上面に接合されている状態を示し、（ｄ）は図示せぬ天井に固定される固定部材が吊下部材の上面に開口された取付部の下面から上面に向かって挿通されている状態を示し、図１１に対応している。
【図１９】本発明の第１の実施形態に係る応用例の他の例に相当する筐体部を有する案内表示装置を示す斜視図であり、図１に示す筐体部に係る応用例に相当する。
【図２０】本発明の第１の実施形態に係る応用例の他の例に相当する筐体部を有する案内表示装置を構成部材毎に分解して示す斜視図であり、図１９に対応している。
【図２１】本発明の第１の実施形態に係る応用例の他の例に相当する筐体部を有する案内表示装置の一部を構成部材毎に分解して示す斜視図であり、表示部は透明性を有し、図１９に対応している。
【図２２】本発明の第１の実施形態に係る応用例の他の例に相当する筐体部を有し且つ密閉蓋を除いた状態の案内表示装置を示す側面図であり、図１９に対応している。
【図２３】本発明の第１の実施形態に係る応用例の他の例に相当する筐体部を有する案内表示装置の一部を示す正面図であり、図１９に対応している。
【図２４】本発明の第２の実施形態に係る主面に凹部が複数形成され該凹部により所定の情報を表示する導光板を設けた表示部を隣接して３個配設した案内表示装置を示す斜視図であり、（ａ）は案内表示装置を一方から示す斜視図、（ｂ）は案内表示装置を他方から示す斜視図である。
【図２５】本発明の第２の実施形態に係る案内表示装置を構成部材毎に分解して示す斜視図であり、図２４に対応している。
【図２６】本発明の第３の実施形態に係る主面に表示面が複数形成され該表示面により所定の情報を表示する表示板を設けた表示部を隣接して３個配設した案内表示装置を示す斜視図であり、（ａ）は案内表示装置を一方から示す斜視図、（ｂ）は案内表示装置を他方から示す斜視図である。
【図２７】本発明の第３の実施形態に係る案内表示装置を構成部材毎に分解して示す斜視図であり、図２６に対応している。
【図２８】本発明の第４の実施形態に係る複数の表示部を個別に発光させて表示させる案内表示装置を示す斜視図であり、（ａ）は案内表示装置を一方から示す斜視図、（ｂ）は案内表示装置を他方から示す斜視図である。
【図２９】本発明の第４の実施形態に係る案内表示装置を構成部材毎に分解して示す斜視図であり、図２８に対応している。
【図３０】本発明の第４の実施形態に係る複数の表示部を個別に発光させて表示させている案内表示装置を示す斜視図であり、（ａ）は左端の表示部を除いた２個の表示部を発光させて表示している状態の案内表示装置を示す斜視図、（ｂ）は右端の表示部を除いた２個の表示部を発光させて表示している状態の案内表示装置を示す斜視図であり、図２８に対応している。
【図３１】本発明の第４の実施形態に係る案内表示装置に設けられた複数の表示部を個別に発光させて表示させる制御を示す模式図であり、図２８に対応している。
【発明を実施するための形態】
【００１０】
以下、本発明の案内表示装置に係る好適な実施形態について、図面を参照しながら説明する。なお、本発明の案内表示装置は、以下の記述に限定されるものではなく、本発明の要旨を逸脱しない範囲において、適宜変更可能である。以下の記述において、本発明の案内表示装置を構成する各構成部材の材質及び形状等は一例であり、他の材質及び形状等に適宜変更可能である。さらに、後述する本発明の第１乃至第４の実施形態に係る案内表示装置１乃至案内表示装置６の各構成を、任意に組み合わせて、案内表示装置を構成しても良い。具体的には、図９に示す遮光部材３２及び遮光部材３３を、第２乃至第４の実施形態に係る案内表示装置４乃至案内表示装置６に設けても良い。また、後述する図１２に示す筐体部６０又は図１９に示す筐体部７０を、第２乃至第４の実施形態に係る案内表示装置４乃至案内表示装置６に設けても良い。また、後述する図１７に示す結合部材６６を、第２乃至第４の実施形態に係る案内表示装置４乃至案内表示装置６に設けても良い。
【００１１】
また、以下の説明においては、最初に本発明の第１の実施形態に係る案内表示装置１乃至案内表示装置３について図１乃至図２３を参照しながら説明する。次に本発明の第２の実施形態に係る案内表示装置４について図２４及び図２５を参照しながら説明する。次に本発明の第３の実施形態に係る案内表示装置５について図２６及び図２７を参照しながら説明する。次に本発明の第４の実施形態に係る案内表示装置６について図２８及び図３１を参照しながら説明する。また本発明の第１乃至第４の実施形態に係る案内表示装置１乃至案内表示装置６にそれぞれ設けられた表示部の導光板の製造方法について説明する。最後に本発明の第１乃至第４の実施形態に係る案内表示装置１乃至案内表示装置６の構成と主な作用効果について請求項毎に説明する。
【００１２】
［第１の実施形態］
以下、本発明の第１の実施形態に係る案内表示装置１乃至案内表示装置３について、図１乃至図２３を参照しながら、具体的に説明する。
【００１３】
なお、本発明の第１の実施形態については、先ず、案内表示装置１の構成について、図１乃至図９を参照しながら説明する。次に、応用例の一つの例に相当する筐体部６０を有する案内表示装置２の構成について、図１１乃至図１７を参照しながら説明する。さらに、応用例の他の例に相当する筐体部７０を有する案内表示装置３の構成について、図１９乃至図２３を参照しながら説明する。
【００１４】
先ず、案内表示装置１の構成について、図１乃至図９を参照しながら説明する。案内表示装置１は、光源部１０、表示部２０、遮光部３０及び筐体部４０から構成されている。具体的には、図１に案内表示装置１を斜視図で示している。さらに、図２に病院の廊下の天井から吊り下げて設置している案内表示装置１を模式図で示し、図３に案内表示装置１の表示部２０越しに病院の廊下の壁面に掛けられた時計を視認している状態を模式図で示している。また、図４に案内表示装置１の表示部２０と遮光部３０及び筐体部４０を拡大して示し、図５に案内表示装置１の光源部１０と表示部２０及び遮光部３０を拡大して示し、図６に案内表示装置１を構成部材毎に分解して示している。さらに、図７に案内表示装置１の一部を構成部材毎に分解し且つ表示部２０を透明で示し、図８に案内表示装置１の一部を構成部材毎に分解して側面から示している。ここで、図９に案内表示装置１に設けられた遮光部３０の様々な配設例を示している。また、図１０に案内表示装置１に設けられた複数の表示部２０を個別に発光させて表示させる制御を模式図で示している。以下、案内表示装置１の各構成について、順に説明する。
【００１５】
案内表示装置１を構成する複数の光源部１０は、図５及び図６等に示すように、光を発する光源１１を設けている。この様な光源部１０は、光源１１及び基板１２から構成されている。以下、光源部１０を構成する各部材について、順に説明する。光源部１０の光源１１には、発光ダイオード（ＬＥＤ：Ｌｉｇｈｔ  Ｅｍｉｔｔｉｎｇ  Ｄｉｏｄｅ）を用いる。また、光源１１は、白色、赤色、橙色、黄色、緑色、青色、藍色又は紫色のいずれかの色若しくはそれらの色の組み合わせから成るＬＥＤで構成する。
また、光源１１は、紫外域又は赤外域の光を発するＬＥＤで構成しても良い。また、後述する表示部２０の導光板５１又は導光板５３の厚みが８ｍｍの場合にはトップ発光型の表面実装タイプの発光ダイオードを用い、導光板５１又は導光板５３の厚みが３ｍｍの場合にはサイド発光型の表面実装タイプの発光ダイオードを用いる。この様な光源１１は、後述する基板１２に、所定の間隔で複数個配列されている。なお、光源１１は、ＬＥＤに限定されることはなく、有機発光ダイオード、蛍光管、冷陰極管、白熱電球又はネオン管等で構成しても良い。また、光源部１０の基板１２には、板状から成るガラスエポキシ基板を用いる。
【００１６】
案内表示装置１を構成する複数の表示部２０は、図４乃至図７に示すように、光源部１０に隣接し、光源部１０の光源１１の光を側面から入射させ、該光を主面から出射させる。また、複数の表示部２０は、一列に配設され、且つ文字、図形、記号又はこれらの組み合わせから成る情報を表している。この様な表示部２０は、導光板から成る。ここで、導光板は、アクリル酸又はメタクリル酸を重合して形成したアクリル樹脂又はポリカーボネイト等、透明な樹脂板から成る。したがって、導光板の後方に載置された物体等を、該導光板越しに視認することができる。具体的には、図２及び図３に示すように、案内表示装置１を病院の廊下の天井から吊り下げて設置して用いている場合において、案内表示装置１の表示部２０越しに、廊下の壁面Ｋに掛けられた時計Ｔを視認することができる。また、導光板は、該導光板の後方を視認できる程度に着色された樹脂板を用いても良い。さらに、導光板には、光を照射されることにより拡散光を発する微粒子状の拡散部材を添加した樹脂板を用いても良い。同様に、導光板には、紫外域や可視域の光を照射されることにより蛍光を発する蛍光剤を塗布又は添加した樹脂板を用いても良い。
【００１７】
また、表示部２０の導光板２１の構成に関し、図６に示す導光板２１の一主面２１ｂに、側面２１ａから入射された光源部１０の光源１１の光を拡散光として導出させる凹部２１ｆが複数形成され、該凹部２１ｆにより、文字、図形、記号又はこれらの組み合わせから成る情報が表示されている。また、複数の表示部２０の導光板２１の一主面２１ｂに複数形成された凹部２１ｆにより、同一の情報又は異なる情報を表示する構成としている。具体的には、図６に示す案内表示装置１において、２個の表示部２０に設けられた各導光板２１は、それぞれ「矢印」から成る情報を同じ方向で表示している。また、導光板２１は、該導光板２１の一主面２１ｂに対向して設けられた他主面においても、複数形成された凹部により、文字、図形、記号又はこれらの組み合わせから成る情報が表示されている。ここで、導光板２１の一主面２１ｂに表示された「矢印」から成る情報に対し、一主面２１ｂに対向して形成された他主面に表示された「矢印」から成る情報が左右の方向に反転している。したがって、案内表示装置１を異なる方向から視認した場合においても、「矢印」が同一の方向を示す構成となっている。
【００１８】
ここで、表示部２０の導光板２１の構成に関し、図６に示すように、導光板２１の一主面２１ｂに凹部２１ｆが複数形成され且つ導光板２１の一主面２１ｂに対向して設けられた他主面に図示せぬ凹部が複数形成されているが、導光板２１の一主面２１ｂに対して面積が十分に小さいため、該導光板２１は十分な透光性を有する。したがって、図３に示すように、案内表示装置１を病院の廊下の天井から吊り下げて設置して用いている場合において、案内表示装置１の表示部２０越しに、例えば廊下の壁面Ｋに掛けられた時計Ｔを視認して、時刻を知ることができる。なお、例えば、導光板２１の両面（一主面２１ｂ及び該一主面２１ｂに対向して設けられた他主面）に形成された凹部の面積と、導光板２１の片面における凹部が形成されていない透明部分の面積との比率が１対１であっても、導光板２１の片面側から目視する場合、透明部分の面積の比率が５０％以下とならない程度に凹部を密集させて形成しない限り、該導光板２１越しに後方の物体等を視認することができる。なお、後述する図２４に示す表示部２０を隣接して３個配設した案内表示装置４においても、同様の効果を得ることができる。
【００１９】
また、表示部２０の導光板５１の構成に関し、図８に示すように、導光板５１は、凹部又は凸部が所定の間隔でマトリクス状に配列されている。なお、図８は、図６に示す導光板５１及び一対の表示板５２から成る表示部２０の位置において、案内表示装置１を構成部材毎に分解して示す側面図である。ここで、導光板５１の側面５１ａを介して、光源部１０の光源１１の光が、該導光板５１の内部に導光される。また、導光板５１の主面である一主面５１ｂに、光源部１０の光源１１から照射された光を拡散光として導出させる凹部５１ｃが形成されている。同様に、導光板５１の一主面５１ｂに対向した主面である他主面５１ｄに、光源部１０の光源１１から照射された光を拡散光として導出させる凹部５１ｅが形成されている。この様な凹部５１ｃ及び凹部５１ｅは、四角錐形状から成り、一主面５１ｂ及び他主面５１ｄに対して２ｍｍから４．５ｍｍの間隔でマトリクス状に形成されている。なお、導光板５１に形成された隣り合う凹部５１ｃの間隔及び導光板５１に形成された隣り合う凹部５１ｅの間隔は、それぞれ凹部の中心から凹部の中心までの距離である。また、光源１１には、５０００ｍｃｄ［カンデラ］〜８０００ｍｃｄ［カンデラ］の仕様のＬＥＤを用い、隣り合うＬＥＤの中心から中心までの距離を１０ｍｍで配設している。
【００２０】
また、表示部２０の導光板５１の構成に関し、導光板５１の一主面５１ｂに形成された複数の凹部５１ｃで発生した拡散光の大部分は、略均一な面発光の光として導光板５１の他主面５１ｄから導出される。同様に、導光板５１の他主面５１ｄに形成された複数の凹部５１ｅで発生した拡散光の大部分は、略均一な面発光の光として導光板５１の一主面５１ｂから導出される。また、導光板５１の一主面５１ｂの凹部５１ｃ及び他主面５１ｄの凹部５１ｅの深さが、光源部１０の光が入射される導光板５１の側面５１ａから離間する毎に深くなるように形成しても良い。ここで、導光板５１の側面５１ａから光源部１０の光源１１の光が入射されると、導光板５１の側面５１ａから離間する毎に伝播する光の光量が減少するが、導光板５１の側面５１ａから離間しても凹部で発生する拡散光の光量の減少を抑制することができる。したがって、導光板５１の側面５１ａからの距離によらず、導光板５１の一主面５１ｂ及び他主面５１ｄから均一な面発光が導出される。この様な導光板５１は、導光板５１の側面５１ａから離間する毎に伝播する光の光量が大きく減少する場合に有効な構成である。
【００２１】
ここで、表示部２０の導光板５１の構成に関し、導光板５１に後述する表示板５２を接触させて付勢した上で、光源１１の光を導光板５１の側面５１ａから２５ｃｍ以上導光させ面発光させた場合、導光板５１に形成された隣り合う凹部５１ｃ間の距離が２ｍｍより小さな間隔では、従来の問題である筋状の光線は発生しないが、導光板５１の光源１１に近い主面ほど明るく且つ光源１１から遠い主面ほど暗くなってしまうことから、導光板５１が均一に面発光しない。一方、導光板５１に形成された隣り合う凹部５１ｃ間の距離が４．５ｍｍより大きい間隔では、拡散光を発生する凹部５１ｃが形成された部位と何も形成されていない透明な部位との間において、光の明暗の差に起因する筋状の光線が発生する。
【００２２】
また、表示部２０の導光板５１の構成に関し、側面５１ａにおける導光板５１の厚みが３ｍｍの場合には、導光板５１の側面５１ａに最も近接した箇所の凹部５１ｃの深さは０．０７ｍｍである。また、側面５１ａにおける導光板５１の厚みが３ｍｍの場合には、側面５１ａから離間する毎に１．２／１００［ｍｍ］で深さが変化するグラデーション加工を施すことにより、一主面５１ｂの凹部５１ｃ及び他主面５１ｄの凹部５１ｅの深さが、導光板５１の側面５１ａから離間する毎に深くなるように形成されている。なお、導光板５１の側面５１ａに最も近接した箇所の凹部５１ｃの深さを０．０２ｍｍ乃至０．１ｍｍとし、側面５１ａから離間する毎に０．１／１００［ｍｍ］乃至１．５／１００［ｍｍ］で深さが変化するグラデーション加工を施す構成しても良い。また、側面５１ａにおける導光板５１の厚みが８ｍｍの場合において、凹部の深さ又は凸部の高さについてグラデーション加工を施す構成とすれば、該導光板５１をより大きく形成しても、導光板５１の一主面５１ｂ及び他主面５１ｄから均一な面発光の光を導出させることができる。
【００２３】
ここで、表示部２０の表示板５２の構成に関し、該表示板５２は、図４及び図６等に示すように、導光板５１の主面に積層して又は離間して配設され、一主面５２ｂに形成された表示面５２ｆにより所定の情報を表示する。ここで、一対の表示板５２は、導光板５１に対向して設けられた主面の両側に配設され、同一の情報又は異なる情報を表示している。具体的には、表示板５２は、図１に示すように、「○□」から成る情報を表示している。ここで、「○□」から成る情報は、「税関」、「トイレ」及び「非常口」等に相当する。なお、表示板５２を基材及び粘着材から形成し、軟性材を介して表示部２０の導光板５１に密着する構成としても良い。また、表示板５２を、材質が異なる２個以上の部材から構成しても良い。具体的には、表示板５２を、塩化ビニルシート及びメタクリル樹脂板から構成しても良い。同様に、表示板５２を、ポリ塩化ビニルシート、ポリカーボネイト樹脂板、ポリ塩化ビニルシートから構成しても良い。ここで、ポリカーボネイト樹脂板は難燃性であるため、万一、天井等から吊り下げられて設置された案内表示装置１の構成部材が燃焼して溶けた場合でも、通行人や床面に垂れることを防止できる。なお、表示板５２を構成するポリ塩化ビニルシートに換えて、ポリエチレンテレフタレート又はポリプロピレンを用いても良い。
【００２４】
案内表示装置１を構成する遮光部３０は、図５又は図２５等に示すように、少なくとも隣り合う光源部１０の間及び隣り合う表示部２０の間に設けられ、光を遮光する遮光部材３１を設けている。ここで、遮光部材３１は、両面に所定の反射率を有した１個の部材から成り、隣り合う表示部２０の間にそれぞれ貼り付けされている。この様な遮光部材３１は、アルミニウムの薄膜で被覆された遮光テープ又は遮光シートから成り、光源部１０の基板１２及び表示部２０の導光板の側部に貼り付けされている。また、遮光部材３１を、板状のアルミニウムから構成し、光源部１０の基板１２及び表示部２０の導光板２１及び導光板２２の側部に当接させても良い。さらに、遮光部材３１を、反射塗料を塗布又は蒸着した板状のプラスチックスから構成し、光源部１０の基板１２及び表示部２０の導光板２１及び導光板２２の側部に当接させても良い。
【００２５】
また、遮光部３０の構成に関し、図９（ａ）に示すように、光源部１０の光源１１及び表示部２０の導光板２１の片側のみに、遮光部３０の遮光部材３１を設ける構成に限定されることはない。具体的には、図９（ｂ）に示すように、光源１１及び導光板２１の両側に、遮光部材３１を設ける構成としても良い。また、図９（ｃ）に示すように、光源１１及び導光板２１の両側に遮光部材３１を設け、且つ及び導光板２１の下側に遮光部材３２を設ける構成としても良い。また、図９（ｄ）に示すように、光源１１及び導光板２１の両側に遮光部材３１を設け、且つ及び導光板２１の下側に遮光部材３２を設け、更に導光板２１の裏面側に遮光部材３３を設ける構成としても良い。ここで、遮光部材３１、遮光部材３２及び遮光部材３３は、隣り合う表示部２０の導光板２１又は導光板５１において、互いの光が干渉することを防止する。さらに、遮光部材３１、遮光部材３２及び遮光部材３３は、表示部２０の導光板２１又は導光板５１において、側面から光が出射されることを防止し、該側面で光を反射させて主面から出射させる。
【００２６】
案内表示装置１を構成する筐体部４０は、光源部１０、表示部２０及び遮光部３０を保持する筐体４１を設けている。この様な筐体４１は、アルミニウム合金から成り、断面がコの字状から成る板状に形成されている。また、筐体４１の内部に、光源１１を複数実装した基板１２が、図示せぬネジによりネジ留め又は接着剤により接着されている。また、筐体４１の上部に設けられた鉤状の取付部４１ａを用いて、案内表示装置１を施設の天井から吊り下げて設置する。また、係留部材４２は、セットスクリュから成り、筐体４１の側面に形成されたネジ溝４１ｉにネジ留めされ、少なくとも表示部２０を固定する。具体的には、係留部材４２の先端を、表示部２０の例えば導光板２１に形成された所定の深さの穴２１ｇに挿入し、該表示部２０を付勢して固定する。
【００２７】
ここで、表示部２０において、案内表示装置１では、図１０に示す制御部９０の制御に基づき、電源部８０から供給された駆動電力を用い、複数の表示部２０を個別に発光させて表示させる構成となっている。また、制御部９０は、案内表示装置６に隣接して又は遠隔して設けられた管理室のパーソナルコンピュータを用いて駆動する制御ソフトに相当する。また、制御部９０は、「○□」から成る情報が表示された表示板５２に対して、「矢印」から成る情報が隣接して２個設けられた導光板２１を、交互に点滅させる等の制御を行う。
【００２８】
次に、応用例の一つの例に相当する筐体を設けた筐体部を有する案内表示装置２の構成について、図１１乃至図１５を参照しながら説明する。
【００２９】
案内表示装置２を構成する筐体部６０は、光源部１０、表示部２０及び遮光部３０を保持する。この様な筐体部６０は、図１２乃至図１５に示すように、吊下部材６１、第１保持部材６２、第２保持部材６３、固定部材６４及び密閉蓋６５から構成されている。以下、筐体部６０を構成する各部材について、順に説明する。筐体部６０の吊下部材６１は、ステンレスの板を複数回屈折させて、下部の中央が開口し内部に空間を設けた角柱形状に形成されている。また、筐体部６０の第１保持部材６２及び第２保持部材６３は、それぞれ、ステンレスの板を２回屈折させて、Ｌ字状を組み合わせた形状に形成されている。また、筐体部６０の固定部材６４は、ボルト及びナットから成る。また、筐体部６０の密閉蓋６５は、アルミニウムの平板から成る。ここで、図１４に示すように、第１保持部材６２及び第２保持部材６３を用い導光板２１及び該導光板２１に隣接して設けられた図示せぬ導光板５１と表示板５２を挟み込む。その上で、図１３に示すように、固定部材６４のボルトを、第２保持部材６３に形成された貫通孔６３ｈ、導光板２１に形成された貫通孔２１ｈ、及び第１保持部材６２に形成された貫通孔６２ｈの順で挿通し、ナットで固定している。その上で、第１保持部材６２の底面及び第２保持部材６３の底面を、吊下部材６１の内部に載置している。また、密閉蓋６５を用いて、吊下部材６１と第１保持部材６２及び第２保持部材６３の側部を密閉している。
【００３０】
また、筐体部６０の構成に関し、図１６及び図１７に示すように、結合部材６６により、少なくとも複数の表示部２０の導光板２１及び表示板５２と、複数の遮光部３０の遮光部材３１とを一体に保持する構成としても良い。また、結合部材６６により、複数の光源部１０の基板１２と、複数の表示部２０の導光板２１及び表示板５２と、複数の遮光部３０の遮光部材３１とを一体に保持する構成としても良い。この様な結合部材６６は、ステンレスの合金から成り、コの字状に形成されている。また、結合部材６６の内面６６ａに各構成部材を収納する。さらに、セットスクリュから成る固定部材６７を、結合部材６６の両側に設けられたネジ溝６６ｉに挿通し、導光板２１及び表示板５２を付勢して固定する。
【００３１】
また、筐体部６０の取り付け方法に関し、図１８  （ａ）に示すように、図示せぬ天井から吊り下げられたボルトを係合するネジ溝６１ｉを、吊下部材６１の上面に形成する構成としても良い。また、図１８（ｂ）に示すように、図示せぬ天井から吊り下げられたボルトを係合する係留部材６８を、吊下部材６１の下面に接合する構成としても良い。なお、係留部材６８はナットであり、吊下部材６１の下面に溶接されている。また、図１８（ｃ）に示すように、図示せぬ天井から吊り下げられたボルトを係合する係留部材６８を、吊下部材６１の上面に接合する構成としても良い。なお、係留部材６８は、吊下部材６１の上面に溶接されている。また、図１８（ｄ）に示すように、図示せぬ天井に固定される固定部材６９を、吊下部材６１の上面に開口された取付部６１ａの下面から上面に向かって挿通する構成としても良い。なお、固定部材６９は、ボルトである。
【００３２】
さらに、応用例の他の例に相当する筐体を設けた筐体部を有する案内表示装置３の構成について、図１９乃至図２３を参照しながら説明する。
【００３３】
案内表示装置３を構成する筐体部７０は、光源部１０、表示部２０及び遮光部３０を保持する。この様な筐体部７０は、図１９乃至図２３に示すように、吊下部材７１、保持部材７２、第１付勢部材７３、第２付勢部材７４、固定部材７５及び密閉蓋７６から構成されている。具体的には、図１９に案内表示装置３を斜視図で示している。さらに、図１９に対応する図として、図２０に案内表示装置３を構成部材毎に分解して示し、図２１に案内表示装置３の一部を構成部材毎に分解し且つ表示部２０を透明で示し、図２２に密閉蓋７６を除いた状態の案内表示装置３を側面から示し、図２３に案内表示装置３の一部を正面から示している。以下、筐体部７０を構成する各部材について、順に説明する。
【００３４】
筐体部７０の吊下部材７１は、ステンレスの板を複数回屈折させて、下部の中央が開口し内部に空間を設けた角柱形状に形成されている。また、筐体部７０の保持部材７２は、ステンレスの板を２回屈折させて、コの字状に形成されている。また、筐体部７０の第１付勢部材７３は、板状の硬質ゴムから成る。また、筐体部７０の第２付勢部材７４は、板状に形成された金属板から成る。また、筐体部７０の固定部材７５は、セットスクリュから成る。ここで、第１付勢部材７３及び第２付勢部材７４により、導光板２１及び該導光板２１に隣接して設けられた図示せぬ導光板５１と表示板５２を挟み込んでいる。さらに、固定部材７５が、保持部材７２の側面に形成されたネジ溝７２ｉにネジ留めされ、第２付勢部材７４に形成された貫通孔７４ｈに挿通され、表示部２０の各導光板及び表示板に形成された所定の深さの穴２１ｇ及び穴５１ｇに挿入されている。その上で、保持部材７２の底面を、吊下部材７１の内部に載置している。また、密閉蓋７６を用いて、吊下部材７１及び保持部材７２の側部を密閉している。
【００３５】
以上、本発明の第１の実施形態に係る案内表示装置１乃至案内表示装置３によれば、簡便な構成により、複数の情報をそれぞれ明確に表示して案内することができる。
【００３６】
また、本発明の第１の実施形態に係る案内表示装置１乃至案内表示装置３によれば、複数の表示部２０に同一の情報又は異なる情報を表示して、該表示を効果的に報知することができる。具体的には、図１に示すように、例えば案内表示装置１では、「○□」、「矢印」、「矢印」から成る情報において、「矢印」を隣接して２個表示していることから、「○□」の位置に係る情報を強調することができる。特に、本発明の第１の実施形態に係る案内表示装置１乃至案内表示装置３によれば、図１０に示す制御部９０の制御に基づき、「○□」から成る情報が表示された表示板５２に対して、「矢印」から成る情報が隣接して２個設けられた導光板２１を、交互に点滅させる等の制御を行うことにより、該「矢印」を用い、視認者に対して「○□」に相当する例えば駅の改札口やトイレの場所を効果的に報知することができる。
【００３７】
また、本発明の第１の実施形態に係る案内表示装置１乃至案内表示装置３によれば、複数の表示部２０の導光板は、主面の片側の一主面に表示された情報に対し、一主面に対向して形成された他主面に表示された情報が左右の方向に反転している。したがって、案内表示装置１乃至案内表示装置３によれば、該案内表示装置１乃至案内表示装置３を異なる方向から視認した場合においても、同一の情報を表示することができる。
【００３８】
また、本発明の第１の実施形態に係る案内表示装置１乃至案内表示装置３によれば、複数の表示部２０は、少なくとも可視域の波長において透明性を有している。したがって、案内表示装置１乃至案内表示装置３によれば、図２及び図３に示すように、例えば案内表示装置１を病院の廊下の天井から吊り下げて設置して用いている場合において、該案内表示装置１を消灯させているときには、該案内表示装置１の表示部２０越しに、廊下の壁面Ｋに掛けられた時計Ｔを視認することができる。
【００３９】
また、本発明の第１の実施形態に係る案内表示装置１乃至案内表示装置３によれば、遮光部３０の遮光部材は、所定の反射率を有している。したがって、案内表示装置１乃至案内表示装置３によれば、図９に示すように、遮光部材３１、遮光部材３２及び遮光部材３３は、隣り合う表示部２０の導光板２１又は導光板５１において、互いの光が干渉することを防止することができる。さらに、遮光部材３１、遮光部材３２及び遮光部材３３は、表示部２０の導光板２１又は導光板５１において、側面から光が出射されることを防止し、該側面で光を反射させて主面から出射させることができる。
【００４０】
［第２の実施形態］
以下、本発明の第２の実施形態に係る案内表示装置４について、図２４及び図２５を参照しながら、具体的に説明する。
【００４１】
なお、本発明の第２の実施形態に係る案内表示装置４は、図２４に示すように、主面に凹部が複数形成され該凹部により所定の情報を表示する導光板を設けた表示部２０を隣接して３個配設していることに特徴を有している。また、それ以外の第２の実施形態に係る構成は、第１の実施形態で述べた構成と同様である。そこで、第２の実施形態においては、第１の実施形態と異なる構成について中心に説明する。
【００４２】
案内表示装置４を構成する表示部２０において、図２５に示すように、一主面２２ｂに複数形成された凹部２２ｆにより「○□」から成る情報が表示された導光板２２、一主面２１ｂに複数形成された凹部２１ｆにより「矢印」から成る情報が表示された導光板２１及び該導光板２１の順で、各導光板が隣接して配設されている。したがって、案内表示装置４では、「○□」、「矢印」、「矢印」から成る情報が、各導光板の主面に複数形成された凹部により表示されている。また、案内表示装置４では、各導光板の一主面に形成された情報に対して、該一主面に対向して形成された他主面に表示された情報が左右の方向に反転している。したがって、案内表示装置４を異なる方向から視認した場合においても、同一の情報を表示する構成になっている。また、導光板２１及び導光板２２は所定の透過率を有するため、後方の物体等を視認することができる。
【００４３】
以上、本発明の第２の実施形態に係る案内表示装置４によれば、第１の実施形態に係る案内表示装置１乃至案内表示装置３と同様に、簡便な構成により、複数の情報をそれぞれ明確に表示して案内することができる。
【００４４】
また、本発明の第２の実施形態に係る案内表示装置４によれば、図２５に示すように、一主面２２ｂに複数形成された凹部２２ｆにより「○□」から成る情報が表示された導光板２２、一主面２１ｂに複数形成された凹部２１ｆにより「矢印」から成る情報が表示された導光板２１及び該導光板２１の順で、各導光板が隣接して配設されている。したがって、例えば案内表示装置４では、「○□」、「矢印」、「矢印」から成る情報を、各導光板の主面に複数形成された凹部により表示させることができる。
【００４５】
［第３の実施形態］
以下、本発明の第３の実施形態に係る案内表示装置５について、図２６及び図２７を参照しながら、具体的に説明する。
【００４６】
なお、本発明の第３の実施形態に係る案内表示装置５は、図２６に示すように、主面に表示面が複数形成され該表示面により所定の情報を表示する表示板を設けた表示部２０を隣接して３個配設していることに特徴を有している。また、それ以外の第３の実施形態に係る構成は、第１の実施形態で述べた構成と同様である。そこで、第３の実施形態においては、第１の実施形態と異なる構成について中心に説明する。
【００４７】
案内表示装置５を構成する表示部２０において、図２７に示すように、一主面５２ｂに「○□」から成る情報が表示面５２ｆにより表示された表示板５２、一主面５４ｂに「矢印」から成る情報が表示面５４ｆにより表示された表示板５４及び該表示板５４の順で、各表示板が隣接して配設されている。ここで、表示板５２及び表示板５４は、図示していないが透明から成る。また、表示板５２、表示板５４及び表示板５４は、主面に凹部がマトリクス状に形成された導光板５１、導光板５３及び該導光板５３の主面に積層されている。したがって、案内表示装置５では、「○□」、「矢印」、「矢印」から成る情報が、各表示板に形成された印刷面により表示されている。また、案内表示装置５では、各表示板の一主面に形成された情報に対して、該一主面に対向して形成された他主面に表示された情報が左右の方向に反転している。したがって、案内表示装置５を異なる方向から視認した場合においても、同一の情報を表示する構成になっている。
【００４８】
以上、本発明の第３の実施形態に係る案内表示装置５によれば、第１の実施形態に係る案内表示装置１乃至案内表示装置３と同様に、簡便な構成により、複数の情報をそれぞれ明確に表示して案内することができる。
【００４９】
また、本発明の第３の実施形態に係る案内表示装置５によれば、図２７に示すように、一主面５２ｂに「○□」から成る情報が表示面５２ｆにより表示された表示板５２、一主面５４ｂに「矢印」から成る情報が表示面５４ｆにより表示された表示板５４及び該表示板５４の順で、各表示板が隣接して配設されている。また、表示板５２、表示板５４及び該表示板５４は、主面に凹部がマトリクス状に形成された導光板５１、導光板５３及び該導光板５３の主面に積層されている。したがって、例えば案内表示装置５では、「○□」、「矢印」、「矢印」から成る情報を、各表示板に形成された印刷面により表示させることができる。
【００５０】
［第４の実施形態］
以下、本発明の第４の実施形態に係る案内表示装置６について、図２８及び図３１を参照しながら、具体的に説明する。
【００５１】
なお、本発明の第４の実施形態に係る案内表示装置６は、図２８に示すように、複数の表示部２０を個別に発光させて表示させることに特徴を有している。また、それ以外の第４の実施形態に係る構成は、第１の実施形態で述べた構成と同様である。そこで、第４の実施形態においては、第１の実施形態と異なる構成について中心に説明する。なお、図２８には案内表示装置６を斜視図で示している。さらに、図２８に対応する図として、図２９に案内表示装置６を構成部材毎に分解して示し、図３０（ａ）に左端の表示部２０を除く２個の表示部２０を発光させている案内表示装置６を示し、図３０（ｂ）に右端の表示部２０を除く２個の表示部２０を発光させている案内表示装置６を示し、図３１に案内表示装置６の制御を模式図で示している。
【００５２】
案内表示装置６を構成する表示部２０において、図３１に示すように、一主面２３ｂに複数形成された凹部２３ｆにより「矢印」から成る情報が表示された導光板２３、一主面５５ｂに「△◇」から成る情報が表示面５５ｆにより表示された表示板５５及び導光板２３の順で、導光板及び各表示板が隣接して配設されている。したがって、案内表示装置６では、「矢印」、「△◇」、「矢印」から成る情報が表示されている。また、「△◇」の両側に表示された「矢印」から成る情報は、互いに異なる方向を示している。ここで、例えば、案内表示装置６を駐車場に配設し、「△◇」から成る情報を「空車」とし、「△◇」の両側に表示された「矢印」により、駐車場に入ってきた車両を適切な方向に誘導する。同様に、例えば、案内表示装置６をバス乗り場に配設し、「△◇」から成る情報を「名古屋行き」とし、「△◇」の両側に表示された「矢印」により、バス乗り場に来た乗客を適切な乗り場に誘導する。また、導光板２３は所定の透過率を有するため、後方の物体等を視認することができる。
【００５３】
ここで、表示部２０において、案内表示装置６では、図２９に示す制御部９０の制御に基づき、電源部８０から供給された駆動電力を用い、複数の表示部２０を個別に発光させて表示させる構成となっている。また、制御部９０は、案内表示装置６に隣接して又は遠隔して設けられた管理室のパーソナルコンピュータを用いて駆動する制御ソフトに相当する。また、制御部９０は、「△◇」の両側に表示された「矢印」から成る情報のいずれかを表示させるか制御する他に、「矢印」から成る情報を点滅させて表示させたり、発光色を変化させて表示させる。
【００５４】
以上、本発明の第４の実施形態に係る案内表示装置６によれば、第１の実施形態に係る案内表示装置１乃至案内表示装置３と同様に、簡便な構成により、複数の情報をそれぞれ明確に表示して案内することができる。
【００５５】
また、本発明の第４の実施形態に係る案内表示装置６によれば、図２９に示すように、「矢印」、「△◇」、「矢印」から成る情報が表示されている。また、「△◇」の両側に表示された「矢印」から成る情報は、互いに異なる方向を示している。ここで、例えば、案内表示装置６を駐車場に配設し、「△◇」から成る情報を「空車」とすることにより、「△◇」の両側に表示された「矢印」を用い、駐車場に入ってきた車両を適切な方向に誘導することができる。同様に、例えば、案内表示装置６をバス乗り場に配設し、「△◇」から成る情報を「名古屋行き」とすることにより、「△◇」の両側に表示された「矢印」を用い、バス乗り場に来た乗客を適切な乗り場に誘導することができる。
【００５６】
また、本発明の第１乃至第４の実施形態に係る案内表示装置１乃至案内表示装置６にそれぞれ設けられた表示部２０の導光板の製造方法について、具体的に説明する。
【００５７】
表示部２０の導光板の製造方法には、超音波加工、加熱加工、切削加工、レーザ加工、成型加工及びシルク印刷加工を用いることができる。したがって、導光板の仕様やコスト及び必要数量等に応じて、各加工方法を選択することにより、凹部又は凸部を導光板の各面に精度良く安定的に形成することができる。以下、導光板の製造方法について詳細に説明する。超音波加工では、導光板の各面に当接させた超音波加工用ホーンの超音波の振動を用いて、導光板の各面を部分的に溶融させることにより、該各面に凹部を形成する。また、加熱加工では、導光板の各面に当接させた加工具の熱を用いて、導光板の各面を部分的に溶融させることにより、該各面に凹部を形成する。同様に、切削加工では、導光板の各面に当接しながら回転又は付勢させた切削工具を用いて、導光板の各面を部分的に削り取ることにより、該各面に凹部を形成する。同様に、レーザ加工では、導光板の各面に集光させたレーザ光の熱を用いて、導光板の各面を部分的に溶融させることにより、該各面に凹部を形成する。同様に、成型加工では、成型する導光板の外形形状を反映させた形状を金型の内部に形成し、射出成型機に装着した金型に対して加熱して軟化させた樹脂を注入してから、該樹脂を冷却させることにより、導光板の各面に凹部、凸部又は凹状及び凸部を形成する。
【００５８】
また、表示部２０の導光板の製造方法に関し、シルク印刷加工では、導光板の各面に対して所定の孔が開口した版を当接させ、孔を介して硬化性の樹脂を各面に付着させて、該各面を部分的に樹脂で被覆させることにより、該各面に凸部を形成する。また、成型加工又はシルク印刷加工に用いる導光板の基材である樹脂に、拡散光を発する微粒子状の拡散部材を添加しても良い。同様に、上述した超音波加工、加熱加工、切削加工又はレーザ加工を行う導光板の基材である樹脂に、拡散光を発する微粒子状の拡散部材を添加したものを用いても良い。なお、上述した超音波加工、加熱加工、切削加工、レーザ加工、成型加工及びシルク印刷加工を組み合わせて導光板を形成しても良い。具体的には、成型加工により導光板の外形形状のみを形成した上で、超音波加工により導光板の各面に凹部を形成しても良い。同様に、成型加工により導光板の外形形状のみを形成した上で、シルク印刷加工により導光板の各面に凸部を形成しても良い。
【００５９】
最後に、本発明の第１乃至第４の実施形態に係る案内表示装置１乃至案内表示装置６の構成と主な作用効果について、請求項毎に、具体的に説明する。
【００６０】
請求項１に記載の案内表示装置１乃至６は、光を発する光源を設けた複数の光源部１０と、光源部１０に隣接し、光源部１０の光源の光を側面から入射させ、該光を主面から出射させる複数の表示部２０と、少なくとも隣り合う光源部１０の間及び隣り合う表示部２０の間に設けられ、光を遮光する遮光部材を設けた遮光部３０と、光源部１０、表示部２０及び遮光部３０を保持する筐体を設けた筐体部４０、６０及び７０とを有し、複数の表示部２０は、一列に配設され、且つ文字、図形、記号又はこれらの組み合わせから成る情報を表していることを特徴としている。
【００６１】
この様な請求項１に記載の案内表示装置１乃至６によれば、簡便な構成により、複数の情報をそれぞれ明確に表示して案内することができる。
【００６２】
請求項２に記載の案内表示装置１、２、３、４及び６は、請求項１に従属し、表示部２０は、主面に形成された複数の凹部又は凸部により所定の情報を表示する導光板から成ることを特徴としている。
【００６３】
この様な請求項２に記載の案内表示装置１、２、３、４及び６によれば、例えば図２５に示すように、一主面２２ｂに複数形成された凹部２２ｆにより「○□」から成る情報が表示された導光板２２、一主面２１ｂに複数形成された凹部２１ｆにより「矢印」から成る情報が表示された導光板２１及び該導光板２１の順で、各導光板が隣接して配設されている。したがって、例えば案内表示装置４では、「○□」、「矢印」、「矢印」から成る情報を、各導光板の主面に複数形成された凹部により表示させることができる。
【００６４】
請求項３に記載の案内表示装置１及び５は、請求項１に従属し、表示部２０は、主面に凹部又は凸部がマトリクス状に形成された導光板と、導光板の主面に積層して又は離間して配設され表示面により所定の情報を表示する表示板とから成ることを特徴としている。
【００６５】
この様な請求項３に記載の案内表示装置１及び５によれば、例えば図２７に示すように、一主面５２ｂに「○□」から成る情報が表示面５２ｆにより表示された表示板５２、一主面５４ｂに「矢印」から成る情報が表示面５４ｆにより表示された表示板５４及び該表示板５４の順で、各表示板が隣接して配設されている。また、表示板５２、表示板５４及び該表示板５４は、主面に凹部がマトリクス状に形成された導光板５１、導光板５３及び該導光板５３の主面に積層されている。したがって、例えば案内表示装置５では、「○□」、「矢印」、「矢印」から成る情報を、各表示板に形成された印刷面により表示させることができる。
【００６６】
請求項４に記載の案内表示装置１乃至６は、請求項１に従属し、複数の光源部１０は、該光源部１０毎に、点灯、点滅及び消灯することを特徴としている。
【００６７】
この様な請求項４に記載の案内表示装置１乃至６によれば、例えば図１０に示す案内表示装置１のように、制御部９０の制御に基づき、「○□」から成る情報が表示された表示板５２に対して、「矢印」から成る情報が隣接して２個設けられた導光板２１を、交互に点滅させる等の制御を行うことにより、該「矢印」を用い、視認者に対して「○□」に相当する例えば駅の改札口やトイレの場所を効果的に報知することができる。また、例えば図２９に示す案内表示装置６のように、「矢印」、「△◇」、「矢印」から成る情報が表示されている。また、「△◇」の両側に表示された「矢印」から成る情報は、互いに異なる方向を示している。ここで、例えば、案内表示装置６を駐車場に配設し、「△◇」から成る情報を「空車」とすることにより、「△◇」の両側に表示された「矢印」を用い、駐車場に入ってきた車両を適切な方向に誘導することができる。同様に、例えば、案内表示装置６をバス乗り場に配設し、「△◇」から成る情報を「名古屋行き」とすることにより、「△◇」の両側に表示された「矢印」を用い、バス乗り場に来た乗客を適切な乗り場に誘導することができる。
【００６８】
請求項５に記載の案内表示装置１乃至６は、請求項１に従属し、複数の表示部２０は、同一の情報又は異なる情報を表示していることを特徴としている。
【００６９】
この様な請求項５に記載の案内表示装置１乃至６によれば、該案内表示装置１乃至６の仕様により、複数の表示部２０に同一の情報又は異なる情報を表示して、該表示を効果的に報知することができる。具体的には、図１に示すように、例えば案内表示装置１では、「○□」、「矢印」、「矢印」から成る情報において、「矢印」を隣接して２個表示していることから、「○□」の位置に係る情報を強調することができる。
【００７０】
請求項６に記載の案内表示装置１、２、３、４及び６は、請求項２に従属し、複数の表示部２０の導光板は、主面の片側の一主面に表示された情報に対し、一主面に対向して形成された他主面に表示された情報が左右の方向に反転していること
を特徴としている。
【００７１】
この様な請求項６に記載の案内表示装置１、２、３、４及び６によれば、該案内表示装置１、２、３、４及び６を異なる方向から視認した場合においても、同一の情報を表示することができる。
【００７２】
請求項７に記載の案内表示装置１及び５は、請求項３に従属し、複数の表示部２０の表示板は、導光板の主面の両側に積層され、且つ一の表示板に表示された情報に対し、他の表示板に表示された情報が左右の方向に反転していることを特徴としている。
【００７３】
この様な請求項７に記載の案内表示装置１及び５によれば、該案内表示装置５を異なる方向から視認した場合においても、同一の情報を表示することができる。
【００７４】
請求項８に記載の案内表示装置１乃至６は、請求項１に従属し、複数の表示部２０は、透明性を有することを特徴としている。
【００７５】
この様な請求項８に記載の案内表示装置１乃至６によれば、図２及び図３に示すように、例えば案内表示装置１を病院の廊下の天井から吊り下げて設置して用いている場合において、該案内表示装置１の表示部２０越しに、廊下の壁面Ｋに掛けられた時計Ｔを視認することができる。
【００７６】
請求項９に記載の案内表示装置１乃至６は、請求項１に従属し、遮光部３０の遮光部材は、所定の反射率を有することを特徴としている。
【００７７】
この様な請求項９に記載の案内表示装置１乃至６によれば、図９に示すように、遮光部材３１、遮光部材３２及び遮光部材３３は、隣り合う表示部２０の導光板２１又は導光板５１において、互いの光が干渉することを防止することができる。さらに、遮光部材３１、遮光部材３２及び遮光部材３３は、表示部２０の導光板２１又は導光板５１において、側面から光が出射されることを防止し、該側面で光を反射させて主面から出射させることができる。
【符号の説明】
【００７８】
１，２，３，４，５，６  案内表示装置、１０  光源部、１１  光源、１２  基板、２０  表示部、２１，２２，２３，５１，５３  導光板、５２，５４，５５  表示板、２１ａ，２２ａ，２３ａ，５１ａ，  ５３ａ  側面、２１ｂ，２２ｂ，２３ｂ，５１ｂ，５２ｂ，５４ｂ，５５ｂ  一主面、５１ｄ  他主面、２１ｆ，２２ｆ，２３ｆ，５１ｃ，５１ｅ  凹部、２１ｇ，２２ｇ，２３ｇ，５１ｇ，５３ｇ  穴、５２ｆ，５４ｆ，５５ｆ  表示面、２１ｈ，５２ｈ，５４ｈ，６２ｈ，６３ｈ，７４ｈ  貫通孔、３０  遮光部、３１，３２，３３  遮光部材、４０，６０，７０  筐体部、４１  筐体、４１ａ  取付部、４１ｉ，６１ｉ，６６ｉ，７２ｉ  ネジ溝、４２  係留部材、６１，７１  吊下部材、６１ａ，７１ａ    取付部、６２  第１保持部材、６３  第２保持部材、６４，６７，７５，６９  固定部材、６８  係留部材、６５，７６  密閉蓋、６６  結合部材、６６ａ  内面、７２  保持部材、７３  第１付勢部材、７４  第２付勢部材、８０  電源部、９０  制御部、Ｋ  壁面、Ｔ  時計
【図１】
2013003194.tif 000003
【図２】
2013003194.tif 000004
【図３】
2013003194.tif 000005
【図４】
2013003194.tif 000006
【図５】
2013003194.tif 000007
【図６】
2013003194.tif 000008
【図７】
2013003194.tif 000009
【図８】
2013003194.tif 000010
【図９】
2013003194.tif 000011
【図１０】
2013003194.tif 000012
【図１１】
2013003194.tif 000013
【図１２】
2013003194.tif 000014
【図１３】
2013003194.tif 000015
【図１４】
2013003194.tif 000016
【図１５】
2013003194.tif 000017
【図１６】
2013003194.tif 000018
【図１７】
2013003194.tif 000019
【図１８】
2013003194.tif 000020
【図１９】
2013003194.tif 000021
【図２０】
2013003194.tif 000022
【図２１】
2013003194.tif 000023
【図２２】
2013003194.tif 000024
【図２３】
2013003194.tif 000025
【図２４】
2013003194.tif 000026
【図２５】
2013003194.tif 000027
【図２６】
2013003194.tif 000028
【図２７】
2013003194.tif 000029
【図２８】
2013003194.tif 000030
【図２９】
2013003194.tif 000031
【図３０】
2013003194.tif 000032
【図３１】
2013003194.tif 000033